【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  伝送路に接続された複数の信号源からの映像信号を画面上の複数の表示領域にそれぞれ表示する制御を行う表示制御装置において、
前記表示領域毎の表示属性情報を記憶する属性情報記憶手段と、
該記憶された表示属性情報を前記伝送路に接続された複数の信号源に通知する通知手段とを備えたことを特徴とする表示制御装置。
【請求項２】  伝送路に接続された複数の信号源からの映像信号を画面上の複数の表示領域にそれぞれ表示する制御を行う表示制御装置において、
前記複数の信号源から入力される夫々の映像信号に関する識別信号を取得する取得手段と、
該取得した識別信号に基づき、表示選択情報を作成する表示選択情報作成手段と、
該作成された表示選択情報にしたがって、前記夫々の映像信号を前記複数の表示領域に割り当てる表示選択手段と、
前記作成された表示選択情報を前記伝送路に接続された複数の信号源に通知する通知手段とを備えたことを特徴とする表示制御装置。
【請求項３】  伝送路に接続された複数の信号源からの映像信号を画面上の複数の表示領域にそれぞれ表示する制御を行う表示制御装置において、
前記表示領域毎の表示属性情報を記憶する属性情報記憶手段と、
前記複数の信号源から入力される夫々の映像信号に関する識別信号を取得する取得手段と、
該取得した識別信号に基づき、表示選択情報を作成する表示選択情報作成手段と、
該作成された表示選択情報にしたがって、前記夫々の映像信号を前記複数の表示領域に割り当てる表示選択手段と、
前記記憶された表示属性情報および前記作成された表示選択情報を前記伝送路に接続された複数の信号源に通知する通知手段とを備えたことを特徴とする表示制御装置。
【請求項４】  前記伝送路に接続された複数の信号源から入力される複数の映像信号を記憶する画像記憶手段と、
前記表示選択情報にしたがって、前記各映像信号が格納される記憶領域を前記画像記憶手段に確保する領域確保手段とを備えたことを特徴とする請求項２または３記載の表示制御装置。
【請求項５】  前記表示領域の設定に応じて前記表示属性情報を作成あるいは変更することを特徴とする請求項１または３記載の表示制御装置。
【請求項６】  前記通知手段による通知は、前記表示選択情報の変更に連動して行われることを特徴とする請求項２または３記載の表示制御装置。
【請求項７】  前記通知手段による通知は、入力される映像信号の変更に連動して行われることを特徴とする請求項１、２または３記載の表示制御装置。
【請求項８】  前記通知手段による通知は、入力される映像信号の数の変化に連動して行われることを特徴とする請求項１、２または３記載の表示制御装置。
【請求項９】  前記通知手段による通知は、前記伝送路を形成するネットワーク上の信号数の変化に連動して行われることを特徴とする請求項１、２または３記載の表示制御装置。
【請求項１０】  前記通知手段による通知は、前記伝送路を形成するネットワーク上の信号の属性の変化に連動して行われることを特徴とする請求項１、２または３記載の表示制御装置。
【請求項１１】  前記通知手段による通知は、入力される映像信号の画面上での表示領域の大きさ、又は、位置の変化に連動して行われることを特徴とする請求項１、２または３記載の表示制御装置。
【請求項１２】  前記通知手段による通知は、画面上の表示領域の大きさ、又は位置の変化に連動して行われることを特徴とする請求項１、２または３記載の表示制御装置。
【請求項１３】  前記通知手段による通知は、画面領域の用途の変更に連動して行われることを特徴とする請求項１、２または３記載の表示制御装置。
【請求項１４】  前記通知手段による通知は、入力される映像信号の内容の変更に連動して行われることを特徴とする請求項１、２または３記載の表示制御装置。
【請求項１５】  前記通知手段による通知は、前記画面上の複数の子画面同士の配置関係の変更に連動して行われることを特徴とする請求項１、２または３記載の表示制御装置。
【請求項１６】  前記通知手段による通知は、前記信号源からの信号に応じて行われることを特徴とする請求項１、２または３記載の表示制御装置。
【請求項１７】  前記通知手段による通知は、前記信号源の接続、又は、電源投入の検出に応じて行われることを特徴とする請求項１、２または３記載の表示制御装置。
【請求項１８】  前記取得手段により取得される識別信号は、前記信号源に対して与えられた識別番号、又は、通信アドレスであることを特徴とする請求項２または３記載の表示制御装置。
【請求項１９】  前記取得手段により取得される識別信号は、前記信号源の出力モード毎に与えられた識別番号、又は、通信アドレスであることを特徴とする請求項２または３記載の表示制御装置。
【請求項２０】  前記取得手段により取得される識別信号は、前記信号源の出力チャンネル毎に与えられた識別番号、又は、通信アドレスであることを特徴とする請求項２または３記載の表示制御装置。
【請求項２１】  前記取得手段により取得される識別信号は、前記映像信号に対して与えられた識別番号、又は、通信アドレスであることを特徴とする請求項２または３記載の表示制御装置。
【請求項２２】  前記取得手段により取得される識別信号は、前記映像信号の信号源の使用者に対して与えられた識別番号、又は、通信アドレスであることを特徴とする請求項２または３記載の表示制御装置。
【請求項２３】  前記信号源からの映像信号をコンピュータの画像表示用の画面上に表示する制御を行うことを特徴とする請求項１、２または３記載の表示制御装置。
【請求項２４】  伝送路に接続された複数の信号源からの映像信号を表示制御装置によって画面上の複数の表示領域にそれぞれ表示する制御を行う表示制御システムにおいて、
前記表示制御装置は、前記表示領域毎の表示属性情報を記憶する属性情報記憶手段と、
前記複数の信号源から入力された夫々の映像信号に関する識別信号を取得する取得手段と、
該取得した識別信号に基づき、表示選択情報を作成する表示選択情報作成手段と、
該作成された表示選択情報にしたがって、前記夫々の映像信号を前記複数の表示領域に割り当てる表示選択手段と、
前記記憶された表示属性情報および前記作成された表示選択情報を前記伝送路に接続された複数の信号源に通知する通知手段とを備え、
前記信号源は、前記通知された表示属性情報および前記表示選択情報に基づき、前記表示領域に対応する映像信号を送信する送信手段を備えたことを特徴とする表示制御システム。
【請求項２５】  前記送信手段は、前記表示属性情報および前記表示選択情報に基づき、前記映像信号の通信量を抑制して送信することを特徴とする請求項２４記載の表示制御システム。
【請求項２６】  伝送路に接続された複数の信号源からの映像信号を表示制御装置の画面上の複数の表示領域にそれぞれ表示する制御を行う表示制御方法において、
前記表示制御装置では、
前記表示領域毎の表示属性情報を記憶する工程と、
前記複数の信号源から入力される夫々の映像信号に関する識別信号を取得する工程と、
該取得した識別信号に基づき、表示選択情報を作成する工程と、
該作成された表示選択情報にしたがって、前記夫々の映像信号を前記複数の表示領域に割り当てる工程と、
前記記憶された表示属性情報および前記作成された表示選択情報を前記伝送路に接続された複数の信号源に通知する工程とを有し、
前記信号源では、前記通知された表示属性情報および前記表示選択情報に基づき、前記表示領域に対応する映像信号を送信する工程を有することを特徴とする表示制御方法。
【請求項２７】  表示制御装置を制御するコンピュータによって実行され、伝送路に接続された複数の信号源からの映像信号を画面上の複数の表示領域にそれぞれ表示する制御を行うプログラムが格納された記憶媒体において、
前記プログラムは、
前記表示領域毎の表示属性情報を記憶する手順と、
前記複数の信号源から入力される夫々の映像信号に関する識別信号を取得する手順と、
該取得した識別信号に基づき、表示選択情報を作成する手順と、
該作成された表示選択情報したがって、前記夫々の映像信号を前記複数の表示領域に割り当てる手順と、
前記記憶された表示属性情報および前記作成された表示選択情報を前記伝送路に接続された複数の信号源に通知する手順とを含むことを特徴とする記憶媒体。 
【手続補正２】
【補正対象書類名】明細書
【補正対象項目名】００３７
【補正方法】変更
【補正の内容】
【００３７】
請求項２に記載の表示制御装置は、伝送路に接続された複数の信号源からの映像信号を画面上の複数の表示領域にそれぞれ表示する制御を行う表示制御装置において、前記複数の信号源から入力される夫々の映像信号に関する識別信号を取得する取得手段と、該取得した識別信号に基づき、表示選択情報を作成する表示選択情報作成手段と、該作成された表示選択情報にしたがって、前記夫々の映像信号を前記複数の表示領域に割り当てる表示選択手段と、前記作成された表示選択情報を前記伝送路に接続された複数の信号源に通知する通知手段とを備えたことを特徴とする。
【手続補正３】
【補正対象書類名】明細書
【補正対象項目名】００３８
【補正方法】変更
【補正の内容】
【００３８】
請求項３に記載の表示制御装置は、伝送路に接続された複数の信号源からの映像信号を画面上の複数の表示領域にそれぞれ表示する制御を行う表示制御装置において、前記表示領域毎の表示属性情報を記憶する属性情報記憶手段と、前記複数の信号源から入力される夫々の映像信号に関する識別信号を取得する取得手段と、該取得した識別信号に基づき、表示選択情報を作成する表示選択情報作成手段と、該作成された表示選択情報にしたがって、前記夫々の映像信号を前記複数の表示領域に割り当てる表示選択手段と、前記記憶された表示属性情報および前記作成された表示選択情報を前記伝送路に接続された複数の信号源に通知する通知手段とを備えたことを特徴とする。
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】
【手続補正１７】
【補正対象書類名】明細書
【補正対象項目名】００５２
【補正方法】削除
【補正の内容】
【手続補正１８】
【補正対象書類名】明細書
【補正対象項目名】００５３
【補正方法】削除
【補正の内容】
【手続補正１９】
【補正対象書類名】明細書
【補正対象項目名】００５４
【補正方法】削除
【補正の内容】
【手続補正２０】
【補正対象書類名】明細書
【補正対象項目名】００５５
【補正方法】削除
【補正の内容】
【手続補正２１】
【補正対象書類名】明細書
【補正対象項目名】００５６
【補正方法】削除
【補正の内容】
【手続補正２２】
【補正対象書類名】明細書
【補正対象項目名】００５７
【補正方法】削除
【補正の内容】
【手続補正２３】
【補正対象書類名】明細書
【補正対象項目名】００５８
【補正方法】削除
【補正の内容】
【手続補正２４】
【補正対象書類名】明細書
【補正対象項目名】００５９
【補正方法】削除
【補正の内容】
【手続補正２５】
【補正対象書類名】明細書
【補正対象項目名】００６０
【補正方法】削除
【補正の内容】
【手続補正２６】
【補正対象書類名】明細書
【補正対象項目名】００６１
【補正方法】削除
【補正の内容】
【手続補正２７】
【補正対象書類名】明細書
【補正対象項目名】００６２
【補正方法】削除
【補正の内容】
【手続補正２８】
【補正対象書類名】明細書
【補正対象項目名】００６３
【補正方法】削除
【補正の内容】
【手続補正２９】
【補正対象書類名】明細書
【補正対象項目名】００６４
【補正方法】削除
【補正の内容】
【手続補正３０】
【補正対象書類名】明細書
【補正対象項目名】００６５
【補正方法】変更
【補正の内容】
【００６５】
請求項２４に記載の表示制御システムは、伝送路に接続された複数の信号源からの映像信号を表示制御装置によって画面上の複数の表示領域にそれぞれ表示する制御を行う表示制御システムにおいて、前記表示制御装置は、前記表示領域毎の表示属性情報を記憶する属性情報記憶手段と、前記複数の信号源から入力された夫々の映像信号に関する識別信号を取得する取得手段と、該取得した識別信号に基づき、表示選択情報を作成する表示選択情報作成手段と、該作成された表示選択情報にしたがって、前記夫々の映像信号を前記複数の表示領域に割り当てる表示選択手段と、前記記憶された表示属性情報および前記作成された表示選択情報を前記伝送路に接続された複数の信号源に通知する通知手段とを備え、前記信号源は、前記通知された表示属性情報および前記表示選択情報に基づき、前記表示領域に対応する映像信号を送信する送信手段を備えたことを特徴とする。
【手続補正３１】
【補正対象書類名】明細書
【補正対象項目名】００６６
【補正方法】削除
【補正の内容】
【手続補正３２】
【補正対象書類名】明細書
【補正対象項目名】００６７
【補正方法】変更
【補正の内容】
【００６７】
請求項２６に記載の表示制御方法は、伝送路に接続された複数の信号源からの映像信号を表示制御装置の画面上の複数の表示領域にそれぞれ表示する制御を行う表示制御方法において、前記表示制御装置では、前記表示領域毎の表示属性情報を記憶する工程と、前記複数の信号源から入力される夫々の映像信号に関する識別信号を取得する工程と、該取得した識別信号に基づき、表示選択情報を作成する工程と、該作成された表示選択情報にしたがって、前記夫々の映像信号を前記複数の表示領域に割り当てる工程と、前記記憶された表示属性情報および前記作成された表示選択情報を前記伝送路に接続された複数の信号源に通知する工程とを有し、前記信号源では、前記通知された表示属性情報および前記表示選択情報に基づき、前記表示領域に対応する映像信号を送信する工程を有することを特徴とする。
【手続補正３３】
【補正対象書類名】明細書
【補正対象項目名】００６８
【補正方法】変更
【補正の内容】
【００６８】
請求項２７に記載の記憶媒体は、表示制御装置を制御するコンピュータによって実行され、伝送路に接続された複数の信号源からの映像信号を画面上の複数の表示領域にそれぞれ表示する制御を行うプログラムが格納された記憶媒体において、前記プログラムは、前記表示領域毎の表示属性情報を記憶する手順と、前記複数の信号源から入力される夫々の映像信号に関する識別信号を取得する手順と、該取得した識別信号に基づき、表示選択情報を作成する手順と、該作成された表示選択情報したがって、前記夫々の映像信号を前記複数の表示領域に割り当てる手順と、前記記憶された表示属性情報および前記作成された表示選択情報を前記伝送路に接続された複数の信号源に通知する手順とを含むことを特徴とする。